(57)【要約】【課題】肥満の防止又は抑制効果に優れるとともに、摂取性が低下せず、かつ便量及び便状態が良好なペットフードの提供。【解決手段】ジアシルグリセライドと炭水化物を含有し、炭水化物源としてコーン、ソルガム及び大麦を含有し、コーンとソルガムを合計量として炭水化物中７０質量％以上含有し、大麦を炭水化物中に０．１〜１０質量％含有する、ペットフード。【選択図】なし【特許請求の範囲】
【請求項１】
ジアシルグリセライドと炭水化物を含有し、
炭水化物源としてコーン、ソルガム及び大麦を含有し、
コーン及びソルガムを合計量として炭水化物中７０質量％以上含有し、
大麦を炭水化物中に０．１〜１０質量％含有する、ペットフード。
【請求項２】
前記ペットフードは高アミロースでんぷんを含有し、高アミロースでんぷんと大麦の合計量が炭水化物中１．１〜１５質量％である、請求項１記載のペットフード。
【請求項３】
ジアシルグリセライドをペットフード中に１〜１０質量％含有する、請求項２記載のペットフード。
【請求項４】
更に、クエン酸又はその塩をクエン酸換算でペットフード中に０．５質量％以上含有する、請求項１〜３いずれか記載のペットフード。
【発明の詳細な説明】
【技術分野】
【０００１】
本発明はペットフードに関する。
【背景技術】
【０００２】
ペットブームによりペットの飼育数は増大しており、それに伴いペットの高齢化、運動不足、栄養過多等によりペットの肥満、糖尿病、肝臓疾患等のヒトにおける成人病が増大している。また、避妊手術後のホルモンバランスの狂いによって肥満する犬や猫が多くなっている。
【０００３】
このような肥満や体重増加を防止するためのペットフードが数多く開発されている。例えば、アミラーゼ阻害物質である月桂樹葉の抽出物（特許文献１）、ヘスペリジン等のリパーゼ阻害物質（特許文献２）、まいたけ粉末又は／及びまいたけ抽出物（特許文献３）等を配合したペットフードが知られている。また、ペットフードに限った技術ではないが、アミロースを高含有した穀粉により脂質代謝を改善するという技術（特許文献４）、ペットフードに高アミロースデンプンを一定量含有させた技術（特許文献５）がある。更に、食後の血糖反応を調整する穀粉として大麦、トウモロコシ、サトウモロコシを一定比でペットフードに含有させる技術（特許文献６）がある。
【特許文献１】特開平０５−１９２０９２号公報
【特許文献２】特開平０９−１８７２３０号公報
【特許文献３】特開平０８−３８０６９号公報
【特許文献４】特開平１０−２７９４８７号公報
【特許文献５】特開２００５−０９５１７４号公報
【特許文献６】特表２００２−５１０４７４号公報
【発明の開示】
【発明が解決しようとする課題】
【０００４】
しかしながら、これらのペットフードには特殊な物質が配合されていることから摂取性が低下する、便のニオイが変化したり、便量が増える等の現象が生じる場合がある。また、アミロースは難消化性のためペットフードに高含有されると便が軟化し、処理に不都合を生ずる場合がある。
【０００５】
本発明の課題は、肥満の防止又は抑制効果に優れるとともに、摂取性が低下せず、かつ便の状態を良好に保つことが可能なペットフードを提供することにある。
【課題を解決するための手段】
【０００６】
本発明者らは、ジアシルグリセライドを含み、炭水化物としてコーン及びソルガムを主とし、これに少量の大麦を含有せしめることにより、目的のペットフードが得られることを見出した。
すなわち、本発明は、ジアシルグリセライドと炭水化物を含有し、炭水化物源としてコーン、ソルガム及び大麦を含有し、コーン及びソルガムを合計量として炭水化物中７０質量％以上含有し、大麦を炭水化物中に０．１〜１０質量％含有するペットフードを提供するものである。
【発明の効果】
【０００７】
本発明のペットフードは、ペットの肥満防止又は抑制効果、体重増加抑制効果に優れると共に、ペットの便量及び便状態を良好に保つことができる。
【発明を実施するための最良の形態】
【０００８】
本発明のペットフードはジアシルグリセライドを含有する。ジアシルグリセライドの含有量は肥満防止効果の点から、ペットフード中に含まれる全油脂中に１０〜８５質量％（以下、単に％で示す）であることが好ましく、２０〜８０％がより好ましく、２５〜５０％が更に好ましい。
【０００９】
ジアシルグリセライドは、その構成脂肪酸の８０〜１００％が不飽和脂肪酸（ＵＦＡ）であることが好ましく、より好ましくは９０〜１００％、更に９３〜１００％、特に９３〜９８％、殊更９４〜９８％であるのが肥満防止効果の点で好ましい。ここで、この不飽和脂肪酸の炭素数は１４〜２４、更に１６〜２２であるのが好ましい。
ジアシルグリセライドを構成する脂肪酸のうち、リノール酸の含有量は１５〜６５％、更に２０〜６０％、また更に３０〜５５％、特に３５〜５０％であるのが肥満防止効果及び摂取性の点で好ましい。更に、酸化安定性、肥満防止効果の点から、ジアシルグリセライド中のリノール酸／オレイン酸の含有質量比が０．０１〜２．０、更に０．１〜１．８、特に０．３〜１．７であることが好ましい。
ジアシルグリセライドを構成する脂肪酸のうち、リノレン酸の含有量は１５％未満、更に０〜１３％、また更に１〜１０％、特に２〜９％であるのが肥満防止効果、摂取性、及び酸化安定性の点で好ましい。リノレン酸は、異性体としてα−リノレン酸とγ−リノレン酸が知られているが、α−リノレン酸が好ましい。
【００１０】
ジアシルグリセライドを構成する脂肪酸のうち、飽和脂肪酸（ＳＦＡ）の含有量は２０％未満であることが好ましく、更に０〜１０％、また更に０〜７％、特に２〜７％、殊更２〜６％であるのが肥満防止効果、摂取性、及び酸化安定性の点で好ましい。飽和脂肪酸としては、炭素数１４〜２４、更に１６〜２２のものが好ましく、パルミチン酸、ステアリン酸が特に好ましい。
【００１１】
ジアシルグリセライドを構成する脂肪酸中、炭素数１２以下の脂肪酸の含有量は、風味、摂取性の点で５％以下であるのが好ましく、更に０〜２％、特に０〜１％、実質的に含まないのが殊更好ましい。残余の構成脂肪酸は炭素数１４〜２４、特に１６〜２２であるのが好ましい。
【００１２】
また、肥満防止効果の点から、ジアシルグリセライド中の１，３−ジアシルグリセライドの割合が５０％以上、更に５２〜１００％、また更に５４〜９０％、特に５６〜８０％であるジアシルグリセライドを用いるのが好ましい。
【００１３】
ジアシルグリセライドは、上述した天然油脂中に含有されるものを含んでいても良いが、ジアシルグリセライドの含有量を調整するために、上述した油脂由来の脂肪酸とグリセリンとのエステル化反応、油脂とグリセリンとのエステル交換反応等により得たものを配合することが好ましい。
【００１４】
なお、ジアシルグリセライドは、例えば（１）構成脂肪酸中に高度不飽和脂肪酸を２０％以上含有する油脂（例、サフラワー油、オリーブ油、綿実油、コーン油、ナタネ油、大豆油、パーム油、ひまわり油、亜麻仁油、ごま油、ラード、牛脂、魚油、乳脂、あるいはそれらの分別油、ランダム化油、硬化油、エステル交換油）から選ばれた油脂とグリセリンとを、アルカリ金属又はアルカリ土類金属の水酸化物の存在下でエステル交換させるか、又は（２）これらの油脂由来の高度不飽和脂肪酸含有量２０％以上の脂肪酸混合物とグリセリンとのエステル化反応により得ることができる。この際２種以上の油脂を混合してもよい。なお、これらの反応は上記のようなアルカリ触媒等を用いた化学反応によっても実施することができるが、１，３位選択的リパーゼ等の酵素を経て温和な条件で反応を行う方が、酸化安定性、嗜好性の点で好ましい。
【００１５】
本発明のペットフードにおける油脂中には、その他にトリアシルグリセロールや、若干のモノアシルグリセロール、遊離脂肪酸等が含まれていても良い。これらは、上記した天然油脂中に含有されるものの他、製造したジアシルグリセライド含有油脂、配合される植物原料、又は動物原料中に含まれる油脂に含有されるものも含む。特に、油脂中の遊離脂肪酸の含有量は、油脂からの不快臭の発生のしやすさ及び嗜好性の点で２０％以下が好ましく、更に１０％以下、また更に５％以下、特に２％以下、殊更１％以下であるのが好ましい。
【００１６】
本発明のペットフードは炭水化物を含んでおり、炭水化物源としてコーン、ソルガム及び大麦を含有する。本発明のペットフードでは、これらのうちコーン及びソルガムが炭水化物の主成分であり、大麦は少量含有される。コーンとソルガムの合計量は、全炭水化物中７０％以上であり、好ましくは７３〜９９．９％、更に好ましくは７５〜９９．５％である。なお、本発明においては、コーン、ソルガム及び大麦のように穀物がそのままの状態又は単に粉砕されて使用される場合にはその量を「炭水化物の量」として評価し、これらが加工されて、例えばでんぷんや加工でんぷんの状態になったものを含む場合には、加工されたものの量を「炭水化物の量」に含めて評価する。
【００１７】
コーンとしては、一般的なものを使用することができるほか、後述する高アミロースでんぷんの原料としての高アミロースコーンを使用することができる。コーンの配合量としては、炭水化物中に５％以上、更に１０〜６０％、特に１５〜５０％、殊更１５〜４０％含有するのが、経済性、肥満防止効果、摂取性及び便量及び便の状態の点から好ましい。
【００１８】
ソルガムとは、イネ科の植物であり別名コウリャンと称されるものの他、別名ホウキモロコシと称されるブルームコーン、別名サトウモロコシと称されるスウィートソルガム、別名マイロと称されるグレインソルガム等がある。本発明においては、グレインソルガムが好ましい。ソルガムは、炭水化物中に３％以上、更に３〜６０％、特に５〜５０％、殊更５〜４０％含有するのが、経済性、肥満防止効果、摂取性及び便量及び便の状態の点から好ましい。
【００１９】
大麦としては、具体的に二条大麦、又は六条大麦が挙げられ、飼料用として使用されているこれらの混合物も含む。大麦は炭水化物中に０．１〜１０％、更に０．３〜９％、特に０．５〜８％含有するのが、適量の便量となり易く、また、便の硬さや臭いといった便状態を良好にする点から好ましい。
【００２０】
本発明のペットフードには高アミロースでんぷんが含有されることが好ましい。高アミロースデンプンとは、アミロース含量が４０〜９９％であるデンプンであり、特にハイアミロースコーンスターチ、六条皮麦のGlacier AC38、ｓｕ２トウモロコシ等が挙げられる。市販品としては、ハイアミロースコーンスターチアミロメイズＶ（アミロース含量が５０〜６０％）、アミロメイズVI（アミロース含量が６０〜７０％）、アミロメイズVII（アミロース含量が７０〜８０％）以上日本食品加工社製、ファイボーズ（同約７０％）日澱化学社製、等のハイアミロースコーンスターチが挙げられる。これらの高アミロースデンプンは、炭水化物中に１％以上、更に２〜１４％、特に３〜２０％含有するのが、経済性、肥満防止効果、摂取性及び便の状態の点から好ましい。なお、本発明においては、高アミロースコーンでんぷんを用いる場合、このでんぷん量をコーンの配合量として考慮する。
【００２１】
高アミロースでんぷんを含有する場合には、高アミロースでんぷんと大麦の合計量が炭水化物中１．１〜１５％であることが、便の量を好ましく保ち、便を好ましい状態に保つ点から好ましい。特に２〜１２％、更に３〜１０％であることが、経済性と便量・便状態の観点から好ましい。なお、高アミロースでんぷんを含有させた場合には、ＤＡＧはペットフード中に１〜１０％含まれることが好ましく、２〜７％がより好ましい。従来、高い抗肥満効果を得るためにジアシルグリセライドはなるべく多く含有させることが好ましい、ともされていたが、本発明ではコーンとソルガムを炭水化物中に７０％以上、という高配合とすることと、高アミロースでんぷんを含有することによって、ＤＡＧ含有量を少量にしても高い抗肥満効果を得ることが可能となった。
【００２２】
本発明のペットフードは、更にクエン酸又はその塩をクエン酸換算で０．５％以上含むことが好ましい。ここでクエン酸塩としてはアルカリ金属塩やアルカリ土類金属塩が挙げられ、特にアルカリ金属塩が好ましい。アルカリ金属塩としては、クエン酸の正塩（三アルカリ金属塩）、一水素二アルカリ金属塩及び二水素アルカリ金属塩を意味する。クエン酸のアルカリ金属塩としては、ナトリウム塩、カリウム塩が挙げられ、特にナトリウム塩であることが好ましい。なお、本明細書において、特に断らない限りは、クエン酸ナトリウムという場合にはクエン酸三ナトリウム塩（二水和塩）を表わす。
【００２３】
また、「クエン酸換算で」とは、クエン酸及びクエン酸のアルカリ金属塩（以下、クエン酸類とも言う）が含まれている場合、又はクエン酸のアルカリ金属塩のみである場合、アルカリ金属分を水素に置き換えてクエン酸分子量とみなして質量を換算することを意味する。
本発明のペットフードは、保存安定性及び嗜好性の点から、クエン酸類をクエン酸換算で０．５％以上、更に０．７％以上含有していることが好ましい。クエン酸類含有量の上限値としては、嗜好性、保存時の臭いを考慮して３．０％、特に２．５％が好ましい。
【００２４】
本発明のペットフードはそのｐＨが３．５〜７．０であることが好ましい。当該範囲であると、ペットフードの酸化が有効に抑制されうる。特に、ペットフードが鉄や銅、又はそれらを含む化合物を含み、油脂が不飽和脂肪酸を含有する場合には、酸化が効果的に抑制され、嗜好性も良好となるので好ましい。当該ｐＨが４．０〜７．０、更に好ましくは４．５〜６．８であると、酸化抑制効果が一層高まるとともに、保存時の臭いが良好になるので好ましい。クエン酸類を含み、かつｐＨがこのような範囲とするには、クエン酸のほかにｐＨ調整剤を加える方法がある。そのような方法の中でも、クエン酸とクエン酸塩を併用する方法がｐＨ調整がし易いとともに、嗜好性も良好で、風味も統一感があるので好ましい。特に、クエン酸塩として上述のクエン酸アルカリ金属塩を用いることが好ましい。
【００２５】
なお、「ペットフードのｐＨ」とは、ペットフードを以下の方法によって測定したときのｐＨのことを意味する。
＜ペットフードのｐＨ測定方法＞
ペットフード１０ｇを４５℃のイオン交換水（好ましくは２５℃における電気伝導度が０．０１ｍＳ／ｍ以下のイオン交換水）６０ｍＬ中に加えて十分に攪拌し、１時間静置した後に定性ろ紙（No.1, Advantec製）を用いてろ過し、濾液を２５℃においてｐＨ測定した。
なお、ペットフードの性状が固形の場合には、乳鉢等を使用して細かく磨り潰した後に上記攪拌操作を行うことが好ましい。
【００２６】
本発明のペットフードにおいては、単糖類、オリゴ糖類、多糖類、食物繊維、デンプン類、他の穀物類等の、その他の炭水化物源を含有することもできる。
【００２７】
食物繊維としては、動物の消化酵素では分解されない素材をいい、水不溶性食物繊維と水溶性食物繊維を含むが、前者の具体例としては、セルロース、ヘミセルロース等を含有したビートファイバー、ピーファイバー、チコリ根、アルファルファミール、小麦ふすま等が挙げられ、後者の具体例としては、ガラクトオリゴ糖、フラクトオリゴ糖、大豆オリゴ糖、キシロオリゴ糖、乳果オリゴ糖、ラフィノース、ラクチュロース、パラチノースオリゴ糖、ニゲロオリゴ糖、ゲンチオオリゴ糖等の難消化性オリゴ糖、ポリデキストロース、難消化性デキストリン、グアガム酵素分解物、サイリウム種皮、グルコマンナン、寒天、水溶性大豆多糖類、水溶性コーンファイバー、イヌリン、カルボキシメチルセルロース、アルギン酸等が挙げられる。中でも、水不溶性食物繊維と水溶性食物繊維の両者を含んだビートパルプが好ましい。
【００２８】
本発明のペットフードにおいては、更に動物性又は植物性のタンパク質を含むことが、肥満防止効果、摂取性、栄養バランスの点から好ましいが、摂食性の点から動物性タンパク質が好ましい。動物性タンパク質としては、カゼイン等の乳タンパク質も挙げられるが、肥満防止効果及び摂取性の点から、動物性肉類タンパク質が好ましい。このような動物性肉類タンパク質としては、牛、豚、羊、うさぎ、カンガルーなどの畜肉及び獣肉、ならびにその副生成物及び加工品；鶏、七面鳥、うずらなどの鳥肉ならびにその副生物及び加工品；魚、白身魚などの魚肉ならびにその副生物及び加工品；ミートミール、ミートボーンミール、チキンミール、フィッシュミール等の上記原料のレンダリング等が挙げられる。このうち肥満防止効果の点で鶏肉、魚肉が特に好ましい。複数の肉類タンパク質を混合して用いる場合には、鶏肉及び／又は魚肉を肉類中の３０〜１００％、特に５０〜１００％含有させるのが好ましい。
【００２９】
植物性タンパク質としては、大豆タンパク質、小麦タンパク質、小麦グルテン、コーングルテン等が好ましい。
【００３０】
本発明ペットフード中に動物性又は植物性タンパク質は、乾燥減量で５〜７０％、更に１０〜６０％、特に１５〜４０％含有するのが好ましい。
【００３１】
本発明のペットフードには、更に植物ステロールを含有してもよい。植物ステロールは、ペットフード中に、コレステロール低下効果の点で０．１％以上、更に０．５％以上含有するのが好ましい。また植物ステロール含量の上限は、３０％までであればよい。ここで植物ステロールとしては、例えばα−シトステロール、β−シトステロール、スチグマステロール、カンペステロール、α−シトスタノール、β−シトスタノール、スチグマスタノール、カンペスタノール、シクロアルテノール等のフリー体、及びこれらの脂肪酸エステル、フェルラ酸エステル、桂皮酸エステル等のエステル体が挙げられる。
【００３２】
本発明のペットフードには、更に、ぬか類、粕類、野菜、ビタミン類、ミネラル類等を配合することができる。ぬか類としては、米ぬか、ふすま等が、粕類としては、大豆粕等が挙げられる。野菜類としては野菜エキス等が挙げられる。ビタミン類としては、Ａ、Ｂ１、Ｂ２、Ｄ、Ｅ、ナイアシン、パントテン酸、カロチン等が挙げられ、０．０５〜１０％含有するのが好ましい。ミネラル類としては、カルシウム、リン、ナトリウム、カリウム、鉄等が挙げられ、０．０５〜１０％含有するのが好ましい。この他、一般的にペットフードに使用されるゲル化剤、保型剤、pH調整剤、調味料、防腐剤、栄養補強剤等も含有することができる。なお製造過程において、油脂の酸化を抑制する目的で窒素などの不活性ガスで置換したり脱気しながら製造することが、特に加熱工程で有効であるため好ましい。また、本発明のペットフードとしては、ドライタイプ、ウエットタイプ、セミモイストタイプ、ジャーキータイプ、ビスケットタイプ、ガムタイプ、粒状、粉状、スープ状等いずれの形態であってもよい。
【００３３】
本発明のペットフードを摂取することにより、ペットの肥満防止又は抑制効果、体重増加抑制効果がある。従って、本発明のペットフードの容器には、「ペットの肥満を防止する効果がある」、「ペットの肥満を抑制する効果がある」、「ペットの体重増加を抑制する効果がある」、「肥満が気になるペットに適しています」等、表示することができる。
【実施例】
【００３４】
実施例１〜３、及び比較例１〜３
一般のモニター犬１２頭（２〜６歳、ＢＣＳ（ボディー・コンディショニング・スコア）４以上）に、表１に示す試験食を与えて、各試験食の抗肥満効果、嗜好性（犬の食いつきのよさ）、便状態及び便量を評価した。
【００３５】
〔抗肥満性の評価法〕
まず比較例３のフードで１ヶ月間の給与を行い、個体ごとの体重維持カロリーを求めた。これを基にして、体重維持カロリーの５％増（５％過食）、及び１０％増（１０％過食）のカロリーとなるような過食状態の給与量を算出した。比較例３のフードを５％過食、１０％過食となる量に調整し、各々のフードを６頭ずつの犬に分けた２つの群各々に対して１ヵ月給与し、次の１ヶ月は各群の犬に対して同じカロリー量（５％過食及び１０％過食）の各試験食（実施例１〜３及び比較例１〜３）の給与を行った。試験期間中の体重上昇の割合を各群について算出し、横軸に過食のカロリー％、縦軸に体重上昇率をプロットして、５%過食時と１０%過食時の体重上昇率を直線で結び、体重維持するカロリーが何％過食状態であるかを算出した。
【００３６】
〔便の状態の評価法〕
便の状態の評価は、排便直後の「硬さ」、「ニオイ」及び「全体評価」について、試験食を与える前に比べた変化を、下記の評価基準に従って評価し、各犬の平均値を求めた。
・便の硬さ
５：硬くなった
４：やや硬くなった
３：変わらなかった
２：やや軟らかくなった
１：軟らかくなった
・便のニオイ
５：ニオイが弱くなった
４：ニオイがやや弱くなった
３：変わらなかった
２：ニオイがやや強くなった
１：ニオイが強くなった
・全体評価
５：良くなった
４：やや良くなった
３：変わらなかった
２：やや悪くなった
１：悪くなった
【００３７】
〔食いつきの評価法〕
実施例１〜３、及び比較例１〜３の各試験食６つを同じ形状の皿に５０ｇずつ入れて並べ、犬から３ｍ離れた場所に設置し、表２に示した犬に対して１頭ずつ、各２回食べさせた。また、皿を並べる順番は個体ごとに変えて行った。最初に食べ終わったフードを１ポイントとし、各フードの合計ポイントで評価した（全ポイントは２０）。
【００３８】
【表１】
2010148369.tif 000002
【００３９】
表１に示すように、実施例１〜３の食餌を与えた場合においては、抗肥満効果が高いだけではなく、犬の嗜好性が高く、しかも便量・便状態に優れるという結果が得られた。これに対して、コーンとソルガムの合計量が少なく、大麦ベースの食餌（比較例１）では抗肥満効果は高いものの、便量が多くなってしまい、飼い主が便の処理をする手間がかかる。また、コーンとソルガムが炭水化物中の主成分として配合されている場合で、大麦が多い場合（比較例２）は、便の量が多いとともに便状態が軟らかくなり、飼い主の便処理の手間が一層煩雑となる。また、大麦が配合されていない場合（比較例３）には、便状態が良くなくいので便処理の手間がかかる。